(57)【要約】【課題】  複数の番組の中からユーザーが嗜好する番組の迅速、容易な視聴を可能とする表示装置等を提供する。【解決手段】  番組情報をチューナー部１により取得した後で記録保存部１２に保存し、映像を表示した履歴を履歴情報として記録保存部１２に記録しておき、番組情報と履歴情報とに基づいて推薦番組を決定し、電源投入時に推薦番組の映像をディスプレイ７により表示する。【選択図】  図９
2006287855.tif 000002
【特許請求の範囲】
【請求項１】
放送される番組の内容を示す番組情報を取得する番組情報取得手段と、
前記番組情報を保存する番組情報保存手段と、
前記番組の映像を表示した履歴を履歴情報として記録する履歴記録手段と、
前記番組情報を保存された番組を映像が表示される前記番組である推薦番組の候補とし、前記番組情報と前記履歴情報とに基づいて当該候補である候補番組の中から一の当該候補番組を当該推薦番組として決定する推薦番組決定手段と、
前記決定された推薦番組の映像を表示するように制御する表示制御手段と、
を備えることを特徴とする表示装置。
【請求項２】
請求項１に記載の表示装置において、
前記表示制御手段は、当該表示装置の起動時に前記決定された推薦番組の映像を表示するように制御することを特徴とする表示装置。
【請求項３】
請求項１または請求項２に記載の表示装置において、
ユーザーの指示が指示信号として入力される操作入力手段と、
前記入力される指示信号に従い、一の前記候補番組を新たな前記推薦番組として選択可能とする推薦番組選択手段と、を更に備え、
前記表示制御手段は、前記選択された推薦番組の映像を表示するように制御することを特徴とする表示装置。
【請求項４】
請求項３に記載の表示装置において、
前記新たな推薦番組は、前記指示信号が入力される都度、前記候補番組の中から順次選択され、
前記表示制御手段は、前記順次選択された推薦番組の映像を表示するように制御することを特徴とする表示装置。
【請求項５】
請求項３に記載の表示装置において、
前記推薦番組選択手段は、前記入力される指示信号に従い、前記表示されている推薦番組の映像に重畳して前記候補番組の情報を表示し、当該表示された情報と前記入力された指示信号とに基づき、一の当該候補番組を前記新たな推薦番組として選択可能としたことを特徴とする表示装置。
【請求項６】
請求項３乃至５のいずれか一項に記載の表示装置において、
前記推薦番組決定手段は、前記候補番組に対し前記推薦番組を決定するための順位を付け、当該順位に基づいて前記推薦番組を決定し、
前記推薦番組選択手段は、前記順位に基づいて前記新たな推薦番組を選択可能としたことを特徴とする表示装置。
【請求項７】
請求項１乃至６のいずれか一項に記載の表示装置において、
前記推薦番組決定手段は、前記候補番組と番組名が一致する番組の累積放送時間に対する累積視聴時間の比率に基づき前記推薦番組を決定することを特徴とする表示装置。
【請求項８】
請求項７に記載の表示装置において、
前記推薦番組決定手段は、前記候補番組とチャンネル及びジャンルが一致し、かつ当該候補番組と同じ時間帯に放送された番組の累積視聴時間に基づき更に前記推薦番組を決定すること、
を特徴とする表示装置。
【請求項９】
請求項８に記載の表示装置において、
前記推薦番組決定手段は、過去に放送された前記候補番組とチャンネルが一致する番組の累積視聴時間に基づき更に前記推薦番組を決定することを特徴とする表示装置。
【請求項１０】
請求項１乃至６のいずれか一項に記載の表示装置において、
前記推薦番組決定手段は、
前記候補番組と番組名が一致する番組の累積放送時間に対する累積視聴時間の比率に基づき前記推薦番組を決定し、
前記候補番組と番組名が一致する番組がない場合には、当該候補番組とチャンネル及びジャンルが一致し、かつ当該候補番組と同じ時間帯に放送された番組の累積視聴時間に基づき前記推薦番組を決定し、
前記候補番組とチャンネル及びジャンルが一致し、かつ当該候補番組と同じ時間帯に放送された番組がない場合には、過去に放送された当該候補番組とチャンネルが一致する番組の累積視聴時間に基づき前記推薦番組を決定することを特徴とする表示装置。
【請求項１１】
請求項１乃至１０いずれか一項に記載の表示装置において、
放送された番組を記録する記録装置から再生された記録番組と、前記放送される番組とを切り替えて入力する入力切替手段を更に備え、
前記履歴記録手段は、前記記録装置による再生の履歴を前記履歴情報として記録し、
前記推薦番組決定手段は、前記記録番組を含む前記候補番組の中から前記推薦番組を決定し、
前記表示制御手段は、前記決定された推薦番組を前記入力切替手段により入力させて、当該番組の映像を表示するように制御することを特徴とする表示装置。
【請求項１２】
請求項１１に記載の表示装置において、
前記候補番組に含まれる記録番組は、前記記録装置により未だ再生されていない記録番組であることを特徴とする表示装置。
【請求項１３】
請求項１乃至１２のいずれか一項に記載の表示装置において、
前記推薦番組決定手段は、予め設定されたユーザーの嗜好を示す情報を前記番組情報に含む前記候補番組の中から前記推薦番組を決定することを特徴とする表示装置。
【請求項１４】
請求項１乃至１３のいずれか一項に記載の表示装置において、
ユーザーを識別するユーザー識別手段を更に備え、
前記履歴記録手段は、前記識別されたユーザー毎に前記履歴情報を記録し、
前記推薦番組決定手段は、前記番組情報及び前記識別されたユーザーの履歴情報に基づいて前記推薦番組を決定することを特徴とする表示装置。
【請求項１５】
放送される番組の内容を示す番組情報を取得する番組情報取得工程と、
前記番組情報を保存する番組情報保存工程と、
前記番組の映像を表示した履歴を履歴情報として記録する履歴記録工程と、
前記番組情報を保存された前記番組を映像が表示される前記番組である推薦番組の候補とし、前記番組情報と前記履歴情報とに基づいて当該候補である候補番組の中から一の当該候補番組を当該推薦番組として決定する推薦番組決定工程と、
前記決定された推薦番組の映像を表示するように制御する表示制御工程と、
を備えることを特徴とする表示方法。
【請求項１６】
表示装置に含まれるコンピュータを、
放送される番組の内容を示す番組情報を取得する番組情報取得手段、
前記番組情報を保存する番組情報保存手段、
前記番組の映像を表示した履歴を履歴情報として記録する履歴記録手段、
前記番組情報を保存された前記番組を映像が表示される前記番組である推薦番組の候補とし、前記番組情報と前記履歴情報とに基づいて当該候補である候補番組の中から一の当該候補番組を当該推薦番組として決定する推薦番組決定手段、
前記決定された推薦番組の映像を表示するように制御する表示制御手段、
として機能させることを特徴とする表示用プログラム。
【請求項１７】
請求項１６に記載の表示用プログラムが前記コンピュータ読み取り可能に記録されていることを特徴とする記録媒体。
【発明の詳細な説明】
【技術分野】
【０００１】
本願は、放送される番組の映像を表示する表示装置等の技術分野に関し、より詳細には、複数の番組の中からユーザーが嗜好する番組の迅速、容易な視聴を可能とする表示装置等の技術分野に関する。
【背景技術】
【０００２】
従来の表示装置、例えばテレビジョン受像機（以下、テレビと称する。）は、電源が投入されると、前回電源遮断前に表示していたチャンネルか、あるいは予め設定されたチャンネル（例えば、チャンネル１等）のいずれかを画面に表示するのが一般的である。
【０００３】
ここで表示された番組はユーザーが嗜好する番組とは限らないので、ユーザーは新聞の番組欄やテレビ雑誌等を参照しながらテレビリモコン等のチャンネルボタンを押し、これにより選択されたチャンネルの番組が表示される。ここで、しばらく番組を視聴した結果、その番組が気に入らない場合は他のチャンネルに切り替える。このようにして、最終的に視聴する番組が決定され、ユーザーは嗜好する番組を視聴することができるのである。
【０００４】
近年、このチャンネルボタンによる番組選択に代えて、ＥＰＧ（Electronic Program Guide）を利用する方法が取り入れられてきている。例えば、放送信号として映像、音声と共に受信し、あるいはインターネットに接続して所定のサーバからダウンロードした番組表の情報を画面に表示し、ユーザーが画面を見ながらリモコン等で操作するという対話方式により番組選択が行われる。
【０００５】
また、この番組選択を迅速かつ容易に行う画像表示装置として、例えば、特許文献１に記載されたものがある。
【０００６】
この特許文献１に記載された画像表示装置は、電源を投入すると電源遮断時に表示していたチャンネルの映像と共に、ユーザーが視聴した頻度の高いチャンネルの映像を選択の候補として複数表示する。ユーザーはこの中から視聴する番組を選択するか、視聴したい番組がなければ、他の候補となるチャンネルの映像を複数表示した別の画面に切り替えて、更に選択を行う。
【特許文献１】特開２００３−００９０１６号公報
【発明の開示】
【発明が解決しようとする課題】
【０００７】
しかしながら、上述した従来の表示装置では、新聞の番組欄やテレビ雑誌等を参照しながら視聴する番組を選択しなければならないため、手順が煩雑であり、嗜好する番組を視聴するまでの時間も要するという問題があった。
【０００８】
特に近年、ＢＳ（Broadcasting Satellite）放送、ＣＳ（Communications Satellite）放送、ケーブルテレビ放送等により視聴可能なチャンネル数が飛躍的に増加している状況においては、多数の番組から視聴したい番組を探し出さなければならないため、たとえ、ＥＰＧを利用した対話方式によっても、ユーザーは番組を選択するための煩雑な操作を強いられ、嗜好する番組を素早く視聴することは困難となる。
【０００９】
また、特許文献１に記載の画像表示装置のように、視聴の候補となる番組を絞ったとしても、その中からユーザー自身が番組を選択しなければならないことに変わりはなく、多チャンネル化により候補となる番組が増加すれば、結局ユーザーの負担も増加するという問題がある。
【００１０】
そこで、本願は上記の問題点に鑑みて為されたもので、その課題としては、複数の番組の中からユーザーが嗜好する番組の迅速、容易な視聴を可能とする表示装置等を提供することが、その一例として挙げられる。
【課題を解決するための手段】
【００１１】
上記の課題を解決するために、請求項１に記載の発明は、放送される番組の内容を示す番組情報を取得する番組情報取得手段と、前記番組情報を保存する番組情報保存手段と、前記番組の映像を表示した履歴を履歴情報として記録する履歴記録手段と、前記番組情報を保存された前記番組を映像が表示される前記番組である推薦番組の候補とし、前記番組情報と前記履歴情報とに基づいて当該候補である候補番組の中から一の当該候補番組を当該推薦番組として決定する推薦番組決定手段と、前記決定された推薦番組の映像を表示するように制御する表示制御手段と、を備えることを特徴とする。
【００１２】
上記の課題を解決するために、請求項１５に記載の発明は、放送される番組の内容を示す番組情報を取得する番組情報取得工程と、前記番組情報を保存する番組情報保存工程と、前記番組の映像を表示した履歴を履歴情報として記録する履歴記録工程と、前記番組情報を保存された前記番組を映像が表示される前記番組である推薦番組の候補とし、前記番組情報と前記履歴情報とに基づいて当該候補である候補番組の中から一の当該候補番組を当該推薦番組として決定する推薦番組決定工程と、前記決定された推薦番組の映像を表示するように制御する表示制御工程と、を備えることを特徴とする。
【００１３】
上記の課題を解決するために、請求項１６に記載の発明は、表示装置に含まれるコンピュータを、放送される番組の内容を示す番組情報を取得する番組情報取得手段、前記番組情報を保存する番組情報保存手段、前記番組の映像を表示した履歴を履歴情報として記録する履歴記録手段、前記番組情報を保存された前記番組を映像が表示される前記番組である推薦番組の候補とし、前記番組情報と前記履歴情報とに基づいて当該候補である候補番組の中から一の当該候補番組を当該推薦番組として決定する推薦番組決定手段、前記決定された推薦番組の映像を表示するように制御する表示制御手段、として機能させることを特徴とする。
【００１４】
上記の課題を解決するために、請求項１７に記載の発明は、請求項１６に記載の表示用プログラムが前記コンピュータ読み取り可能に記録されていることを特徴とする。
【発明を実施するための最良の形態】
【００１５】
次に、本願を実施するための最良の形態について、図面に基づいて説明する。なお、以下に説明する実施形態は、デジタルチューナー内蔵テレビ（以下、適宜テレビとも称する。）に対して本願を適用した場合の実施の形態である。
【００１６】
（Ｉ）第１実施形態
はじめに、本願に係る第１実施形態について図１乃至図１９を用いて説明する。
【００１７】
先ず、本実施形態に係るデジタルチューナー内蔵テレビＳの構成及び機能について説明する。
【００１８】
なお、図１は第１実施形態に係るデジタルチューナー内蔵テレビＳの概要構成の一例を示すブロック図である。
【００１９】
図１に示すように、本実施形態に係るデジタルチューナー内蔵テレビＳは番組情報取得手段としてのチューナー部１と、音声信号処理部２と、スピーカ３と、メイン映像信号処理部４と、サムネイル映像信号処理部５と、映像合成部６と、ディスプレイ７と、時計部８と、操作入力手段としての操作部９と、ＲＯＭ（Read Only Memory）１０と、ＲＡＭ（Random Access Memory）１１と、記録保存部１２と、番組情報保存手段、履歴記録手段、推薦番組決定手段、表示制御手段、及び推薦番組選択手段としてのシステム制御部１３と、入出力部１４と、バス１５とにより構成されている。
【００２０】
チューナー部１は、アンテナＡＴを介して所定周波数の信号を受信し、この時分割多重化された信号から番組情報としてのＥＰＧと所定のチャンネルに対応した番組の音声信号と映像信号のＴＳ（Transport Stream）パケットを抽出する。そして、抽出したＥＰＧは、入出力部１４を介してシステム制御部１３に送出する。これによりチューナー部１は、番組情報取得手段として機能するのである。また、音声信号と映像信号に対しては夫々伸長処理を施し、音声信号は音声信号処理部２に、映像信号はメイン映像信号処理部４、またはサムネイル映像信号処理部５に夫々出力する。
【００２１】
なお、本実施形態に係るチューナー部１は、例えば、ＢＳデジタル放送、ＣＳデジタル放送、地上波デジタル放送等の各種デジタル放送中の一つの放送に対応するものであってもよいし、これら複数の放送に対応するものであってもよい。
【００２２】
音声信号処理部２は、チューナー部１から供給された音声信号に対し音質調整、増幅等の処理を施し、更にアナログ信号に復調してスピーカ３に出力する。そして、スピーカ３は入力された音声信号に応じて音声を出力する。
【００２３】
メイン映像信号処理部４及びサムネイル映像信号処理部５は、チューナー部１から入力された映像信号に対しコントラスト調整、ガンマ補正等の処理を施して映像合成部６に出力する。
【００２４】
ここで、メイン映像信号処理部４は、ディスプレイ７により全画面表示する番組、すなわち、ユーザーによるテレビリモコン操作等により選択された番組、または後述する推薦番組の映像信号を処理する。一方、サムネイル映像信号処理部５は、後述する推薦番組選択処理において、ユーザーによる選択の候補としてディスプレイ７により小さく表示される番組の映像信号を処理する。
【００２５】
映像合成部６は、メイン映像信号処理部４から入力された映像信号とサムネイル映像信号処理部５から供給された映像信号とを合成する。具体的には、メイン映像信号処理部４により処理された映像は全画面で表示し、その上にサムネイル映像信号処理部５により処理された映像は小さく表示されるように映像信号を合成する。
【００２６】
更に、システム制御部１３から入出力部１４を介して入力された文字情報を映像信号に合成してディスプレイ７に出力する。これにより、画面上にチャンネル番号や番組名等の文字が表示される。そして、ディスプレイ７は入力された映像信号に応じた映像を表示する。
【００２７】
時計部８は、現在時刻を計時しており、システム制御部１３の制御により現在時刻を入出力部１４を介してシステム制御部１３に送出する。また、時計部８は、時間計測の機能も有し、システム制御部１３の制御に基づき時間計測開始及び停止を行い、システム制御部１３に計測時間の送出を行う。
【００２８】
操作部９は、主電源スイッチ等よりなる前面操作パネル、及びテレビリモコンから送信される赤外線信号を受信する受光部からなり、ユーザーが入力した指示信号を入出力部１４を介してシステム制御部１３に送出する操作入力手段として機能する。
【００２９】
ＲＯＭ１０、ＲＡＭ１１、記録保存部１２、システム制御部１３、及び入出力部１４はバス１５を介して相互に接続されている。
【００３０】
ＲＯＭ１０は、システム制御部１３が読み出し実行する制御プログラムを記憶し、ＲＡＭ１１は、システム制御部１３による制御プログラムの実行に必要となる各種情報、例えば後述する推薦順位決定テーブル等を一時的に記憶する。
【００３１】
記録保存部１２は、システム制御部１３により処理された番組情報と、履歴情報を記録保存する。この記録保存部１２は、電力供給が停止しても記録内容が消去されない、例えば、フラッシュメモリやハードディスクドライブ等により構成される。
【００３２】
システム制御部１３は、ＲＯＭ１０に記憶されている制御プログラムを読み出し実行することにより、入出力部１４を介してデジタルチューナー内蔵テレビＳを統括制御すると共に、番組情報保存手段、履歴情報記録手段、推薦番組決定手段、表示制御手段、及び推薦番組選択手段として機能するようになっている。
【００３３】
なお、制御プログラムは、上述のように予めＲＯＭ１０に記録しておいてもよいし、ＣＤ−ＲＯＭ等の記録媒体から記録保存部１２に保存しておき、必要に応じてＲＡＭ１１に読み込み実行してもよい。また、ネットワークアダプタを介してインターネット上の所定のサーバからダウンロードされるようにしてもよい。
【００３４】
次に、本実施形態において、電源投入時に映像を表示する推薦番組を決定するまでの手順を説明する。
【００３５】
なお、図２は第１実施形態に係る番組情報レコードの内容の一例を示す図である。また、図３は、第１実施形態に係るチャンネル別累積視聴時間テーブルの内容の一例を示す図である。また、図４は第１実施形態に係る推薦順位決定テーブルの内容の一例を示す図である。
【００３６】
システム制御部１３は、例えば、毎日決まった時刻、あるいは所定時間毎というように、定期的にＥＰＧをチューナー部１により受信させる。
【００３７】
このＥＰＧには、番組名、チャンネル情報、ジャンル名、放送日、放送開始時間、放送終了時間、番組内容、出演者、その他各種の情報が含まれているのであるが、システム制御部１３は、この中からチャンネル番号、番組名、ジャンル名、放送日、放送開始時間及び放送終了時間を抽出し、これを番組毎に番組情報レコード（図２）として記録保存部１２に記録する。このようにして番組情報が保存蓄積されていく。
【００３８】
なお、図４に示す視聴時間は、履歴情報の一つとしての番組視聴時間を記録するために予め設けておく領域であり、初期値として０分が設定される。
【００３９】
一方で、システム制御部１３は、番組の視聴時間を計測するため、例えば、電源投入やチャンネル切り替え等による番組の視聴開始の際に時計部８に時間計測を開始させ、電源遮断や番組終了等による番組の視聴終了の際に時計部８から計測時間を取得し、これを視聴時間とする。
【００４０】
そして、記録保存部１２に保存されている番組情報レコードの視聴時間に、計測した視聴時間を加算してこれを更新する。また、システム制御部１３は、履歴情報の一つとして記録保存部１２に記録されているチャンネル別累積視聴時間テーブル（図３）の視聴していたチャンネルに対応する累積視聴時間に、計測した視聴時間を加算してこれを更新する。このように、チャンネル切り替え等が行われる度に履歴情報が記録されていく。
【００４１】
この番組情報と履歴情報とに基づいて、システム制御部１３は電源投入の際にディスプレイ７に映像を表示させる番組を推薦番組として決定する。
【００４２】
具体的には、ＲＡＭ１１上に図４に示す推薦順位決定テーブルを、時間帯毎に生成する。この時間帯は、例えば、０時から１時、１時から２時というように１時間毎に区分する。そして、例えば、１月１日の１時から２時までの時間帯に放送される番組の推薦順位決定テーブルは、１月１日の０時３０分、つまり前の時間帯の間に作成する。尚、時間帯を何時間毎とするか、何分前に推薦順位決定テーブルを生成するかは任意に定めることができる。
【００４３】
この推薦順位決定テーブルには、同じ日、同じ時間帯に放送される全番組を候補番組として、これらのチャンネル、番組名、ジャンル、番組累積放送時間、番組累積視聴時間、番組視聴比率、番組視聴回数、ジャンル累積視聴時間、チャンネル累積視聴時間、及び推薦順位が含まれる。
【００４４】
ここで、チャンネル、番組名、及びジャンルには、記録保存部１２に保存されている番組情報レコードから設定する。また、番組累積放送時間には、推薦順位決定テーブルに設定された番組、すなわち候補番組とチャンネル及び番組名が一致する番組情報レコードを全て検索し、その検索したレコードの放送開始時刻及び放送終了時刻により求められる放送時間を累積して設定する。また、累積視聴時間には、検索したレコードの視聴時間を累積して設定する。また、番組視聴比率には、累積視聴時間÷累積放送時間の計算式により求められる比率が設定する。また、番組視聴回数には、視聴時間が０分ではないレコードの件数が設定する。
【００４５】
ジャンル累積視聴時間には、候補番組とチャンネル及びジャンルが一致し、かつ候補番組と同じ時間帯に放送された番組の番組情報レコードを全て検索し、その検索したレコードの視聴時間を累積して設定する。また、チャンネル累積視聴時間には、チャンネル別累積視聴時間テーブルから設定する。なお、本実施形態においては、履歴情報を記録する際に、チャンネル累積視聴時間を更新して求めているが、これに限られるものではなく、推薦番組を決定する際に、候補番組とチャンネルが一致する番組の番組情報レコードを全て検索し、その検索したレコードの視聴時間を累積して求めるようにしてもよい。
【００４６】
そして、推薦順位には、順位の高い順に１位、２位・・・と設定されるのであるが、ここでは、初期設定として順位なしを示す０を設定する。
【００４７】
その後、システム制御部１３は、番組視聴比率の高い順に順位設定を行う。図４の推薦順位決定テーブルを例に説明すると、チャンネル１、２及び４の番組が過去視聴されているので、この中から先ず順位設定を行う。夫々の視聴比率は８０％、８０％、１２．５％であり、チャンネル１と２が同率で視聴比率が高いので、更に番組視聴回数に基づく順位設定を行う。これにより視聴回数が多いチャンネル１は１位に、チャンネル２は２位に設定され、残るチャンネル４は３位に設定される。
【００４８】
次いで、システム制御部１３は、ジャンル累積視聴時間の長い順に順位設定を行う。図４の推薦順位決定テーブルを例に説明すると、過去に視聴されたのはチャンネル５のみであるため、チャンネル５は４位に設定される。
【００４９】
次いで、システム制御部１３は、ジャンル累積時間の長い順に順位設定を行う。図４の推薦順位決定テーブルを例に説明すると、過去に視聴されたのはチャンネル５のみであるため、チャンネル６は５位に設定される。
【００５０】
そして、一度も視聴されたことのないチャンネル７については順位の設定は行われずに候補番組からは除外されることとなる。
【００５１】
このようにして、推薦順位が設定され、順位が１位の番組が、当該日の当該時間帯における推薦番組に決定される。そして、ここで決定された推奨番組の映像が、当該日の当該時間帯に電源を投入した時にディスプレイ７により表示されるのである。
【００５２】
上記説明したように、番組の視聴比率に基づいて推薦番組を決定するので、ユーザーが同一番組を反復して視聴する傾向が強い場合には、これを反映して推薦順位が上位となり、ユーザーが頻繁に視聴する番組が電源投入時に表示されるようになる。累積視聴時間によると、放送時間の長い番組の推薦順位が上位となり、放送時間の短い番組の推薦順位が下位となって、必ずしもユーザーの嗜好する番組が上位になるとは限らないのであるが、視聴比率によればこのような不都合もない。
【００５３】
また、更にチャンネル及びジャンルが一致し、かつ同じ時間帯に放送された番組の累積視聴時間に基づいて推薦番組を決定するので、例えば、番組改編により、今まで放送されていたドラマが終了して新しいドラマの放送が開始されることにより、過去に視聴した番組がなくなったような場合において、ユーザーが同一チャンネルの同一時間枠におけるドラマを反復して視聴する傾向が強い場合には、これを反映して新しいドラマの推薦順位が上位となり、ユーザーが頻繁に視聴するジャンルの番組が電源投入時に表示されるようになる。
【００５４】
また、更にチャンネルの累積視聴時間に基づいて推薦番組を決定するので、過去に視聴した番組、ジャンルがないような時間帯においても、ユーザーが特定のチャンネルを視聴する傾向が強い場合には、これを反映してそのチャンネルの推薦順位が上位となり、ユーザーが頻繁に視聴するチャンネルの番組が電源投入時に表示されるようになる。
【００５５】
なお、番組累積放送時間の設定の際には、チャンネル及び番組名が一致する番組情報レコードを全て検索しているが、この中から、同じ時間帯、または同じ曜日に放送されたものに限定してもよい。
【００５６】
例えば、同一内容の番組が曜日、時間等を変えて繰り返し放送されることがある。このような場合、ユーザーは同一内容であっても特定の曜日、時間に放送されるもののみを視聴する傾向がある。そこで同じ時間帯、または同じ曜日で限定すれば、ユーザーの視聴傾向を推薦順位に反映することができる。
【００５７】
また、ニュース等、普段は毎日同じ番組を視聴する傾向があっても、特定の曜日については別の番組を視聴する傾向がある場合には、同じ曜日で限定すれば、このユーザーの視聴傾向を推薦順位に反映することができる。
【００５８】
また、ジャンル累積時間の設定の際には、チャンネル及びジャンルが一致し、同じ時間帯に放送された番組の番組情報レコードを全て検索しているが、上述と同様に、同じ曜日に放送されたものに限定してもよい。
【００５９】
次に、本実施形態において電源投入時に表示された推薦番組以外の候補番組を新たな推薦番組として選択する場合における画面遷移の概要について説明する。
【００６０】
なお、図５は全画面選択モードにより候補番組の選択を行う場合の画面遷移の一例を示す図である。また、図６は、文字選択モードにより候補番組の選択を行う場合の画面遷移の一例を示す図である。また、図７はサムネイル選択モードにより候補番組の選択を行う場合の画面遷移の一例を示す図である。また、図８は文字＋サムネイル選択モードにより候補番組の選択を行う場合の画面遷移の一例を示す図である。
【００６１】
テレビリモコンは、候補番組の選択を行うための次候補ボタンを備えており、電源投入により推奨番組の映像が表示された後、この次候補ボタンを押すと、例えば、以下に説明する４つの選択モードのいずれかにより番組選択が行われる。
【００６２】
先ず第１のモードは、図５（ａ）に示すように、推薦番組の映像が表示されている状態で次候補ボタンを押すと、図５（ｂ）に示すように、チャンネルが切り替わり、次候補番組、すなわち次に推薦順位の高い候補番組の映像が全画面で表示される。その後、次候補ボタンを押すと更に次候補の番組の映像が全画面で表示される。このように、次候補ボタンを押す度に次々と番組が切り替わっていく。このモードを以降、全画面切替モードと称する。
【００６３】
第２のモードは、推薦番組の映像が表示されている状態で次候補ボタンを押すと、図６（ａ）に示すように、次候補番組のチャンネル番号、番組名、ジャンル名等の文字情報が表示される。その後、次候補ボタンを押すとその更に次候補の番組の文字情報が表示される。ここで、テレビリモコンに備えられている決定ボタンを押すと、図６（ｂ）に示すように、チャンネルが切り替わり、文字情報が表示されていた番組の映像が全画面で表示される。このモードを以降、文字選択モードと称する。
【００６４】
第３のモードは、推薦番組の映像が表示されている状態で次候補ボタンを押すと、図７（ａ）に示すように、推薦順位の高い複数の候補番組のサムネイル映像が表示され、その中で、次候補番組のサムネイル映像の周囲に選択状態であることを示す枠が表示される。その後、次候補ボタンを押すとサムネイル映像が夫々１つづつスライドし、更に次候補の番組のサムネイル映像が選択状態となる。ここで、決定ボタンを押すと、図７（ｂ）に示すように、チャンネルが切り替わり、選択状態となっていた番組の映像が全画面で表示される。このモードを以降、サムネイル選択モードと称する。
【００６５】
第４のモードは、推薦番組の映像が表示されている状態で次候補ボタンを押すと、図８（ａ）に示すように、次候補番組のサムネイル映像と、チャンネル番号、番組名等の文字情報とが表示される。その後の動作は文字選択モードと同様であるので、説明は省略する。このモードを以降、サムネイル＋文字選択モードと称する。
【００６６】
以上のモードの中から、どのモードで番組を選択するかユーザーの設定操作により変更可能である。
【００６７】
なお、以上４つのモードにおいては、選択操作に次候補ボタンを用いているが、これに限らず、カーソルボタンで選択するようにしてもよい。また、画面上に表示する文字情報はチャンネル番号、番組名、ジャンル名のみに限られず、他の情報を表示してもよい。また、画面上に表示するサムネイル映像は現在放送中の候補番組の動画像であってもよいし、静止画像であってもよい。また、画面に表示される候補番組の情報の数は一つであってもよいし、複数であってもよい。
【００６８】
次に、本実施形態に係るシステム制御部１３の処理について説明する。
【００６９】
なお、図９は、第１実施形態に係るシステム制御部１３が実行する処理の一例を示すフロチャートである。また、図１０は第１実施形態に係るシステム制御部１３が実行する番組情報取得処理の一例を示すフロチャートである。また、図１１は第１実施形態に係るシステム制御部１３が実行する推薦番組決定処理の一例を示すフロチャートである。また、図１２は第１実施形態に係るシステム制御部１３が実行する履歴情報記録処理の一例を示すフロチャートである。また、図１３は第１実施形態に係るシステム制御部１３が実行する順位設定処理（番組名）の一例を示すフロチャートである。また、図１４は第１実施形態に係るシステム制御部１３が実行する順位設定処理（ジャンル）の一例を示すフロチャートである。また、図１５は第１実施形態に係るシステム制御部１３が実行する順位設定処理（チャンネル）の一例を示すフロチャートである。また、図１６は第１実施形態に係るシステム制御部１３が実行する推薦番組選択処理の一例を示すフロチャートである。また、図１７は第１実施形態に係るシステム制御部１３が実行する推薦番組選択処理の一例を示すフロチャートである。
【００７０】
図９に示すように、ユーザーによる操作部９の主電源スイッチの操作により電力が供給されると待機状態となり、システム制御部１３は先ず番組情報取得処理を実行する（ステップＳ１）。
【００７１】
この番組情報取得処理においては、図１０に示すように、先ず現在の時刻が番組情報を取得する時刻であるか否かを判定し（ステップＳａ１）、取得する時刻である場合は（ステップＳａ１：ＹＥＳ）、ステップＳａ２に移行し、取得する時刻でない場合は（ステップＳａ１：ＮＯ）、番組情報取得処理を終了する。
【００７２】
ステップＳａ２においては、チューナー部１により番組情報を受信させ、この番組情報を取得する。
【００７３】
この番組情報の中から、必要な情報を抽出して番組毎に番組情報レコードとして記録保存部１２に保存し（ステップＳａ３）、番組情報取得処理を終了する。
【００７４】
その後、推薦番組決定処理において（ステップＳ２）、図１１に示すように、次の時間帯における推薦番組を決定する時刻であるか否かを判定し（ステップＳｃ１）、決定する時刻である場合は（ステップＳｃ１：ＹＥＳ）、ステップＳｃ２に移行し、決定する時刻でない場合は（ステップＳｃ１：ＮＯ）、推薦番組決定処理を終了する。
【００７５】
ステップＳｃ２においては、ＲＡＭ１１上に推薦順位決定テーブルを生成し、その内容を初期化する。
【００７６】
次いで、次の時間帯における全番組の番組情報を読み出し、推薦順位決定テーブルに設定する（ステップＳｃ３）。
【００７７】
次いで、番組名に基づく順位設定処理、ジャンルに基づく順位設定処理、チャンネルに基づく順位設定処理を実行して（ステップＳｃ４〜Ｓｃ６）、推薦番組決定処理を終了する。
【００７８】
番組名に基づく順位設定処理においては、図１３に示すように、先ず推薦順位決定テーブルに設定されている番組とチャンネル及び番組名が一致する番組情報レコードを全て検索する（ステップＳｄ１）。
【００７９】
システム制御部１３は、この検索した番組情報レコードに基づいて、番組累積放送時間、番組累積視聴時間、番組視聴比率、及び番組視聴回数を算出し、夫々推薦順位決定テーブルに設定する（ステップＳｄ２〜Ｓｄ５）。
【００８０】
次いで、推薦順位決定テーブルに設定されている番組について全て処理をしたか否かを判定し（ステップＳｄ６）、全て処理した場合は（ステップＳｄ６：ＹＥＳ）、ステップＳｄ７に移行し、処理していない場合は（ステップＳｄ６：ＮＯ）、更に次の番組について処理を行う（ステップＳｄ１〜Ｓｄ５）。
【００８１】
ステップＳｄ７においては、順位が設定されていない各番組について番組視聴比率が高い順に順位を設定し、番組名に基づく順位設定処理を終了する。
【００８２】
ジャンルに基づく順位設定処理においては、図１４に示すように、先ず推薦順位決定テーブルに設定されている番組とチャンネル及びジャンルが一致し、かつ同じ時間帯に放送された番組の番組情報レコードを全て検索する（ステップＳｅ１）。
【００８３】
システム制御部１３は、この検索した番組情報レコードに基づいて、ジャンル累積視聴時間を算出し、これを推薦順位決定テーブルに設定する（ステップＳｅ２）。
【００８４】
次いで、推薦順位決定テーブルに設定されている番組について全て処理をしたか否かを判定し（ステップＳｅ３）、全て処理した場合は（ステップＳｅ３：ＹＥＳ）、ステップＳｅ４に移行し、処理していない場合は（ステップＳｅ３：ＮＯ）、更に次の番組について処理を行う（ステップＳｅ１〜Ｓｅ２）。
【００８５】
ステップＳｄ４においては、順位が設定されていない各番組についてジャンル累積視聴比率が高い順に順位を設定し、ジャンルに基づく順位設定処理を終了する。
【００８６】
チャンネルに基づく順位設定処理においては、図１５に示すように、先ず記録保存部１２からチャンネル別累積視聴時間を読み出し、推薦順位決定テーブルに設定する（ステップＳｆ１）。
【００８７】
次いで、順位が設定されていない各番組についてチャンネル累積視聴比率が高い順に順位を設定し（ステップＳｆ２）、チャンネルに基づく順位設定処理を終了する。
【００８８】
推薦番組決定処理の実行を終えると、システム制御部１３は、パネルスイッチの操作、またはリモコン操作により、操作部９を介して入力されたユーザーの指示を指示信号として受信する（ステップＳ３）。
【００８９】
次いで、指示内容が主電源ＯＦＦであるか否かを判定し（ステップＳ４）、主電源ＯＦＦである場合は（ステップＳ４：ＹＥＳ）、電力供給停止によりシステム制御部１３の処理が終了し、主電源ＯＦＦでない場合は（ステップＳ４：ＮＯ）、ステップＳ５に移行する。
【００９０】
ステップＳ５においては、指示内容がリモコン操作による電源ＯＮであるか否かを判定し、電源ＯＮである場合は（ステップＳ５：ＹＥＳ）、待機状態から脱してステップＳ６に移行し、電源ＯＮでない場合は（ステップＳ５：ＮＯ）、ステップＳ１に移行して更に番組情報取得処理、推薦番組決定処理、指示内容入力を繰り返す（ステップＳ１〜Ｓ３）。
【００９１】
ステップＳ６においては、チューナー部１を制御して、現在の時間帯に対応する推薦順位決定テーブルに順位が１位として設定されている番組（すなわち推薦番組）に対応したチャンネルの放送信号を受信させる。これにより、推薦番組の映像信号がチューナー部１、メイン映像信号処理部４、映像合成部６を経由してディスプレイ７に入力され、ディスプレイ７の画面に映像が表示される。
【００９２】
次いで、保存記録部１２から現在表示している番組の番組情報レコードを読み出しＲＡＭ１１に記憶させると共に、時計部８に時間計測を開始させる（ステップＳ７）。
【００９３】
次いで、操作部９を介して入力されたユーザーの指示を受信した後（ステップＳ８）、指示内容がチャンネル切り替えであるか否かを判定し（ステップＳ９）、チャンネル切り替えである場合は（ステップＳ９：ＹＥＳ）、ステップＳ１５に移行し、チャンネル切り替えでない場合は（ステップＳ９：ＮＯ）、ステップＳ１０に移行する。
【００９４】
ここで、指示内容がチャンネル切り替えである場合は（ステップＳ９：ＹＥＳ）、履歴情報記録処理を実行する（ステップＳ１５）。
【００９５】
この履歴情報記録処理においては、図１２に示すように時計部８による時間計測を停止させ、計測時間を取得する（ステップＳｂ１）。
【００９６】
次いで、取得した計測時間を番組の視聴時間としてＲＡＭ１１に記憶していた番組情報に含まれる視聴時間を更新し、これを記録保存部１２に保存する（ステップＳｂ２）。
【００９７】
次いで、表示していたチャンネルの累積視聴時間を記録保存部１２に記録されているチャンネル別累積視聴時間テーブルから読み出し、チャンネル累積視聴時間に計測した視聴時間を加算する。そして、加算後の累積視聴時間によりを記録保存部１２に記録されているチャンネル別累積視聴時間テーブルを更新し（ステップＳｂ３）、履歴情報記録処理を終了する。
【００９８】
履歴情報記録処理の実行を終えると、チューナー部１を制御してユーザーにより指定されたチャンネルの番組を受信させ、この番組の映像をディスプレイ７に表示させる（ステップＳ１６）。
【００９９】
チャンネル切り替えを終えると、ステップＳ７に移行し、時計部８に時間計測を開始させる。つまり、新たな番組の表示が開始されたので、この番組の視聴時間を計測するのである。
【０１００】
一方、指示内容がチャンネル切り替えでない場合は（ステップＳ９：ＮＯ）、指示内容が電源ＯＦＦであるか否かを判定し（ステップＳ１０）、電源ＯＦＦである場合は（ステップＳ１０：ＹＥＳ）、ステップＳ２０に移行し、電源ＯＦＦでない場合は（ステップＳ１０：ＮＯ）、ステップＳ１１に移行する。
【０１０１】
ここで、指示内容が電源ＯＦＦである場合は（ステップＳ１０：ＹＥＳ）、上述した履歴情報記録処理により今まで表示していた番組に関する履歴情報を記録する（ステップＳ２０）。
【０１０２】
次いで、ディスプレイ７の画面を消去して（ステップＳ２１）、待機状態となりステップＳ１に移行する。
【０１０３】
一方、指示内容が電源ＯＦＦでない場合は（ステップＳ１０：ＮＯ）、指示内容が次候補であるか否かを判定し（ステップＳ１１）、次候補である場合は（ステップＳ１１：ＹＥＳ）、ステップＳ１７に移行し、次候補でない場合は（ステップＳ１１：ＮＯ）、ステップＳ１２に移行する。
【０１０４】
ここで、指示内容が次候補である場合は（ステップＳ１１：ＹＥＳ）、推薦番組選択処理を実行する（ステップＳ１７）。
【０１０５】
この推薦番組選択処理においては、図１６に示すように、先ず選択モードが全画面選択モードであるか否かを判定し（ステップＳｇ１）、全画面選択モードである場合は（ステップＳｇ１：ＹＥＳ）、ステップＳｇ２に移行し、全画面選択モードでない場合は（ステップＳｇ１：ＮＯ）、ステップＳｇ３に移行する。
【０１０６】
ステップＳｇ２においては、次候補の番組を新たな推薦番組に決定し、Ｓｇ２１に移行する。
【０１０７】
ステップＳｇ３においては、選択モードが文字選択モードであるか否かを判定し、文字面選択モードである場合は（ステップＳｇ３：ＹＥＳ）、ステップＳｇ４に移行し、文字選択モードでない場合は（ステップＳｇ３：ＮＯ）、ステップＳｇ９移行する。
【０１０８】
ステップＳｇ４においては、システム制御部１３が、次候補のチャンネル番号、番組名等からなる文字情報を入出力部１４を介して映像合成部６に送出する。これにより、映像合成部６は推薦番組の映像信号と文字情報とを合成してディスプレイ７に送出し、ディスプレイ７は推薦番組の映像と次候補の番組のチャンネル番号、番組名等を図６（ａ）に示すように表示する。
【０１０９】
次いで、操作部９を介して入力されたユーザーの指示を受信した後（ステップＳｇ５）、指示内容が次候補であるか否かを判定し（ステップＳｇ６）、次候補である場合は（ステップＳｇ６：ＹＥＳ）、ステップＳｇ４に移行して更に次候補の文字情報を表示し、次候補でない場合は（ステップＳｇ６：ＮＯ）、ステップＳｇ７に移行する。
【０１１０】
ステップＳｇ７においては、指示内容が決定であるか否かを判定し、決定である場合は（ステップＳｇ７：ＹＥＳ）、ステップＳｇ８に移行し、決定でない場合は（ステップＳｇ７：ＮＯ）、ステップＳｇ５に移行し、更にユーザーの指示を受信する。
【０１１１】
ステップＳｇ８においては、現在文字情報が表示されている候補番組を新たな推薦番組に決定し、Ｓｇ２１に移行する。
【０１１２】
ステップＳｇ９においては、図１７に示すように、選択モードがサムネイル選択モードであるか否かを判定し、サムネイル選択モードである場合は（ステップＳｇ９：ＹＥＳ）、ステップＳｇ１０に移行し、サムネイル選択モードでない場合（ステップＳｇ９：ＮＯ）、選択モードはサムネイル＋選択モードとなり、ステップＳｇ１６移行する。
【０１１３】
ステップＳｇ１０においては、システム制御部１３の制御により、チューナー部１から複数の候補番組の映像信号をサムネイル映像信号処理部５に出力する。サムネイル映像信号処理部５により処理された映像信号は映像合成部６により推薦番組の映像信号と合成され、ディスプレイ７により推薦番組の映像と複数の候補番組の映像が図７（ａ）に示すように表示され、次候補の番組が選択状態となる（ステップＳｇ１１）。
【０１１４】
次いで、操作部９を介して入力されたユーザーの指示を受信した後（ステップＳｇ１２）、指示内容が次候補であるか否かを判定し（ステップＳｇ１３）、次候補である場合は（ステップＳｇ１３：ＹＥＳ）、ステップＳｇ１０に移行して候補番組を１つづつスライドして表示した後、更に次の候補番組を選択状態にし（ステップＳｇ１１）、次候補でない場合は（ステップＳｇ１３：ＮＯ）、ステップＳｇ１４に移行する。
【０１１５】
ステップＳｇ１４においては、指示内容が決定であるか否かを判定し（ステップＳｇ１４）、決定である場合は（ステップＳｇ１４：ＹＥＳ）、ステップＳｇ１５に移行し、決定でない場合は（ステップＳｇ１４：ＮＯ）、ステップＳｇ１２に移行し、更にユーザーの指示を受信する。
【０１１６】
ステップＳｇ１５においては、現在選択中の候補番組を新たな選択番組に決定し、Ｓｇ２１に移行する。
【０１１７】
ステップＳｇ１６においては、システム制御部１３の制御により、推薦番組の映像と共に次候補の映像と文字情報が図８（ａ）に示すように表示される。
【０１１８】
その後、ステップＳｇ１７〜Ｓｇ２０においては、上述したステップＳｇ５〜Ｓｇ７と同様の処理を行い、ステップＳｇ２１に移行する。
【０１１９】
最後に、ステップＳｇ２１において、履歴情報記録処理を実行し、推薦番組選択処理を終了する。
【０１２０】
推薦番組選択処理の実行を終えると、チューナー部１を制御して選択された推薦番組に対応したチャンネルの放送信号を受信させ、このチャンネルの映像をディスプレイ７に表示させると（ステップＳ１８）、ステップＳ７に移行する。
【０１２１】
一方、指示内容が次候補でない場合は（ステップＳ１１：ＮＯ）、今まで表示していた番組が終了したか否かを判定し（ステップＳ１２）、終了した場合は（ステップＳ１２：ＹＥＳ）、ステップＳ１９に移行し、終了していない場合は（ステップＳ１２：ＮＯ）、番組情報取得処理、推薦番組決定処理を行った後（ステップＳ１３〜Ｓ１４）、ステップＳ８に移行する。
【０１２２】
ここで、番組が終了した場合は（ステップＳ１２：ＹＥＳ）、終了した番組に関し、履歴情報記録処理を行った後（ステップＳ１９）、これから始まる番組の視聴時間の計測を開始することとなる（ステップＳ７）。
【０１２３】
以上説明したように、本実施形態のデジタルチューナー内蔵テレビＳによれば、番組情報をチューナー部１により取得した後で記録保存部１２に保存し、映像を表示した履歴を履歴情報として記録保存部１２に記録しておき、番組情報を保存された番組を候補番組とし、番組情報と履歴情報とに基づいて候補番組の中から推薦番組が決定され、推薦番組の映像がディスプレイ７により表示されるので過去の視聴傾向に基づいて表示される番組が決定され、複数の番組の中からユーザーが嗜好する番組の迅速、容易な視聴が可能となる。
【０１２４】
また、電源投入時に推薦番組の映像が表示されるので、ユーザーは煩わしい操作をすることなく複数の番組の中からユーザーが嗜好する番組を視聴ことが可能となる。
【０１２５】
また、リモコン操作により、候補番組の中から新たな推薦番組を選択可能とし、チャンネルを切り替えて選択した番組を表示するので、電源投入時に表示された番組がユーザーの嗜好する番組でない場合でも、他の候補番組から視聴する番組を選択することができ、嗜好する番組の迅速、容易な視聴が可能となる。
【０１２６】
また、全画面選択モードによれば、次候補ボタンを押す毎に、順次候補番組が新たな推薦番組に選択され、チャンネルを切り替えて選択した番組を表示するので、候補番組を実際に視聴することにより内容を確認しながらワンボタンで番組を選択することができ、ユーザーが嗜好する番組を簡易、確実に選択することができる。
【０１２７】
また、文字選択モード、サムネイル選択モード、及び文字＋サムネイル選択モードによれば、次候補ボタンを押すことにより、現在表示されている推薦番組の映像に重畳して候補番組の文字情報または映像が表示され、リモコン操作により候補番組を新たな推薦番組として選択可能とし、チャンネルを切り替えて選択した番組を表示するので、番組を視聴しつつ候補番組の内容を文字により確認することができ、ユーザーが嗜好する番組を簡易、確実に選択することができる。
【０１２８】
また、候補番組に推薦順位を設定し、この推薦順位が１位の候補番組を推薦番組として決定し、また、この推薦順位の上位の候補番組から優先的して新たな推薦番組として選択可能としたので、ユーザーが嗜好する番組をより迅速に視聴することができる。
【０１２９】
また、候補番組の視聴比率に基づいて推薦番組を決定するので、例えば、ユーザーが同一番組を反復して視聴する傾向が強い場合には、これを反映して電源投入時に表示される番組が決定され、ユーザーが頻繁に視聴する番組の迅速、容易な視聴が可能となる。
【０１３０】
また、候補番組とチャンネル及びジャンルが一致し、かつ候補番組と同じ時間帯に放送された番組の累積視聴時間に基づいて更に推薦番組を決定するので、例えば、ユーザーが同一チャンネルの同一時間枠における同一ジャンルの番組を反復して視聴する傾向が強い場合には、これを反映して電源投入時に表示される番組が決定され、ユーザーが頻繁に視聴するジャンルに属する番組の迅速、容易な視聴が可能となる。
【０１３１】
また、候補番組とチャンネルが一致する番組の累積視聴時間に基づいて更に推薦番組を決定するので、過去に視聴した番組、ジャンルがないような時間帯においても、ユーザーが特定のチャンネルを視聴する傾向が強い場合には、これを反映して電源投入時に表示される番組が決定され、ユーザーが頻繁に視聴するチャンネルに属する番組の迅速、容易な視聴が可能となる。
【０１３２】
また、番組情報と履歴情報に基づいて推薦番組を事前に決定するので、電源起動から推薦番組を表示するまでの時間を短縮することができ、ユーザーが嗜好する番組の迅速な視聴が可能となる。
【０１３３】
次に、本願に係る第１実施形態の一の変形例について図１８乃至図１９を用いて説明する。
【０１３４】
なお、図１８は、第１実施形態に係るシステム制御部１３が実行する推薦順位決定処理の変形例を示すフロチャートである。また、図１９は、第１実施形態に係るシステム制御部１３が実行する推薦順位決定処理の変形例における順位設定処理（嗜好情報）を示すフロチャートである。
【０１３５】
本変形例においては、推薦番組を決定する際に、予めユーザーにより設定された情報も考慮する。この情報は、ユーザーの嗜好を示すものであり、例えば、番組名、ジャンル、出演者、その他キーワードを入力しておく。
【０１３６】
また、番組情報レコードには図２に示す情報のほかに、番組内容、出演者等の情報を設定し記録保存部１２に保存しておく。
【０１３７】
そして、推薦番組決定処理において、システム制御部１３は、図１８に示すように、推薦番組を決定するか否かの判定、推薦順位決定テーブルの生成、全番組の番組情報読み出しの後（ステップＳｃ１〜Ｓｃ３）、先ず嗜好情報に基づく順位設定処理を実行し（ステップＳｃ７）、その後、番組名に基づく順位設定処理、ジャンルに基づく順位設定処理、及びチャンネルに基づく順位設定処理を実行する（ステップＳｃ４〜Ｓｃ６）。
【０１３８】
この嗜好情報に基づく順位設定処理においては、図１９に示すように、設定された嗜好情報を番組情報に含む番組を検索し（ステップＳｈ１）、これにより検索された番組から順位を設定する（ステップＳｈ２）。
【０１３９】
以上説明した変形例においては、ユーザーが予め設定した嗜好情報に合致する番組から優先して推薦番組に決定されていくので、ユーザーの嗜好を直接反映して電源投入時に表示される番組が決定されるため、複数の番組の中からユーザーが嗜好する番組の、より迅速、容易な視聴が可能となる。
【０１４０】
次に、本願に係る第１実施形態の他の変形例について説明する。
【０１４１】
本変形例においては、複数のユーザーが番組を視聴することを前提として、ユーザー毎に視聴履歴の記録及び推薦番組の表示を行う。
【０１４２】
本変形例のテレビリモコンは、青、赤、緑、及び黄色の４つのカラーボタンを備える。これらのボタンが電源ＯＮ／ＯＦＦボタンの役割を果たすと共に各色にユーザーが割り当てられ、これによりユーザーを識別することができるようになっている。
【０１４３】
通常リモコンの電源ＯＮ／ＯＦＦボタンを押すことにより電源投入するのであるが、これとは別にカラーボタンを押すことによっても電源投入し、システム制御部１３は、押したボタンの色に応じた指示信号を入力することによってユーザーを識別する。なお、通常の電源ＯＮ／ＯＦＦは特定のユーザーに割り当てられず、全ユーザー共通に使われるボタンとなる。
【０１４４】
そして、システム制御部１３はユーザー毎に履歴情報を記録するのであるが、この場合、図２に示す番組情報レコードの視聴時間は１つではなく４ユーザー分と共通分の５つ用意される。また、図３に示すチャンネル別累積視聴時間テーブルも１つではなく５テーブル用意される。
【０１４５】
そして、システム制御部１３は、ユーザー毎に記録した履歴情報の中から、現在識別しているユーザーの履歴情報に基づいて推薦番組を決定する。
【０１４６】
以上説明した変形例においては、識別したユーザー毎に履歴情報を記録し、ユーザー毎に推薦番組を決定するので、個々のユーザーの傾向を反映して電源投入時に表示される番組が決定され、複数の番組の中からユーザーが嗜好する番組の、より迅速、容易な視聴が可能となる。
【０１４７】
なお、ユーザーを識別する方法は上記説明した方法に限られるものではなく、例えば、ディスプレイ７にメニュー画面を表示させて対話方式によりユーザーを識別してもよいし、音声や指紋等を認識する生体センサーによるものでもよいし、その他の方法でもよい。
【０１４８】
（II）第２実施形態
次に、本願に係る第２実施形態について図２０乃至図２２を用いて説明する。
【０１４９】
第１実施形態においては、放送される番組の中から、電源投入時に表示する推薦番組を決定するが、以下に説明する第２実施形態においては、デジタルチューナー内蔵テレビにＡ／Ｖレコーダを内蔵し、放送される番組とＡ／Ｖレコーダにより録画されている番組の中から推薦番組を決定する。
【０１５０】
先ず、本実施形態に係るデジタルチューナー内蔵テレビＳＳの構成及び機能について説明する。
【０１５１】
なお、図２０は第２実施形態に係るデジタルチューナー内蔵テレビＳＳの概要構成の一例を示すブロック図である。
【０１５２】
また、以下に説明する第２実施形態に係るデジタルチューナー内蔵テレビＳＳの構成においては、下記に示す伝送部の構成が第１実施形態に係るデジタルチューナー内蔵テレビＳの場合と異なるのみであるので、その他の部材については第１実施形態に係るデジタルチューナー内蔵テレビＳの構成を踏襲して同様の部材番号を付し、細部の説明は省略する。
【０１５３】
図１に示すように、本実施形態に係るデジタルチューナー内蔵テレビＳＳは、第１実施形態に係るデジタルチューナー内蔵テレビＳを構成する各部に加え、更に、記録装置としてのＡ／Ｖレコーダ部２１と、音声入力切替部２２と、入力切替手段としてのメイン映像信号入力切替部２３と、サムネイル映像信号入力切替部２４とに構成されている。
【０１５４】
Ａ／Ｖレコーダ部２１は、システム制御部１３の録画制御により、アンテナＡＴを介して放送信号を受信してＥＰＧと所定のチャンネルに対応した番組の音声信号と映像信号を抽出する。そして、録画する番組の番組情報をＥＰＧから取得し、音声信号及び映像信号と共に内蔵ハードディスク、ＤＶＤ−ＲＷ（Digital Versatile Disk Rewritable）等の書き換え可能な記録媒体に記録する。
【０１５５】
また、Ａ／Ｖレコーダ部２１は、システム制御部１３の再生制御により、記録媒体に記録されている所定の番組の音声信号及び映像信号を再生し、音声信号は音声入力切替部２２に、映像信号はメイン映像信号入力切替部２３またはサムネイル映像信号入力切替部２４に夫々出力する。
【０１５６】
更にまた、Ａ／Ｖレコーダ部２１は、システム制御部１３の制御により、記録媒体に記録されている番組の番組情報を入出力部１４を介してシステム制御部１３に送出する。
【０１５７】
音声入力切替部２１は、システム制御部１３の切替制御により、チューナー部１から出力された音声信号、またはＡ／Ｖレコーダ部２１から出力された音声信号のいずれか１つを選択して入力して音声信号処理部２に出力する。
【０１５８】
メイン映像信号入力切替部２３及びサムネイル映像信号入力切替部２４は、システム制御部１３の切替制御により、チューナー部１から出力された映像信号、またはＡ／Ｖレコーダ部２１から出力された映像信号のいずれか１つを選択して入力してメイン映像信号処理部４またはサムネイル映像信号処理部５に出力する。
【０１５９】
次に、放送中の番組と録画番組とを切り替えて表示する場合のシステム制御部１３の処理を説明する。
【０１６０】
放送中の番組を表示している場合、すなわち、音声入力切替部２２がチューナー部１から出力される音声信号を入力し、メイン映像信号入力切替部２３もチューナー部１から出力される映像信号を入力している場合に、ユーザーのリモコン操作により録画番組の再生指示が操作部９を介して入力されると、システム制御部１３は、Ａ／Ｖレコーダ部２１から音声信号、映像信号を入力するように音声信号入力切替部２２及び映像信号入力切替部２３を切り替え制御する。そして、Ａ／Ｖレコーダに録画されている番組を再生させる。
【０１６１】
これにより、録画番組の音声信号が音声信号入力切替部２２、音声信号処理部２を介してスピーカ３に出力され、スピーカ３により音声が出力される。また、録画番組の映像がメイン映像信号入力切替部２３、メイン映像信号入力切替部２３、映像合成部６を介してディスプレイ７に出力され、ディスプレイ７により映像が表示される。
【０１６２】
一方、再生中の録画番組を表示していている場合に、ユーザーのリモコン操作により録画番組の再生停止及びチャンネル切り替え指示が操作部９を介して入力されると、システム制御部１３は、Ａ／Ｖレコーダによる再生を停止させ、チューナー部１から音声信号、映像信号を入力するように音声信号入力切替部２２及び映像信号入力切替部２３を切替制御する。
【０１６３】
このような処理が図９に示すステップＳ１６のチャンネル切り替えに代えて実行され、またステップＳ６、及びステップＳ１８における推薦番組の切り替えにおいても実行される。
【０１６４】
次に、録画番組を視聴した際の履歴情報記録処理について第１実施形態と異なる部分について説明すると、記録保存部１２に記録されている番組情報レコードを読み出して視聴時間を更新するのであるが、どの番組情報レコードを読み出すかは、Ａ／Ｖレコーダ２１により記録されている録画番組の番組情報に基づいて決定される。
【０１６５】
次に、本実施形態に係る推薦番組決定処理について説明する。
【０１６６】
なお、図２１は第２実施形態に係るシステム制御部１３が実行する推薦順位決定処理の一例を示すフロチャートである。また、図２２は第２実施形態に係るシステム制御部１３が実行する推薦順位決定処理の変形例を示すフロチャートである。
【０１６７】
図２１に示すように、システム制御部１３は、推薦番組を決定するか否かの判定、推薦順位決定テーブルの生成、番組情報の読み出しの後（ステップＳｃ１〜Ｓｃ３）、Ａ／Ｖレコーダ部２１から未再生の録画番組の中で最新の録画番組の番組情報を取得し、推薦順位決定テーブルに設定する（ステップＳｃ８）。
【０１６８】
次いで、番組名に基づく順位設定処理、ジャンルに基づく順位設定処理を実行するのであるが、ここでは放送中の番組のみで順位設定が行われる（ステップＳｃ４〜Ｓｃ５）。
【０１６９】
次いで、推薦順位決定テーブルに設定された未再生の最新録画番組に順位が設定され（ステップＳｃ９）、最後にチャンネルに基づく順位設定処理が行われる（ステップＳｃ６）。
【０１７０】
また、推薦番組決定処理の他の例を説明すると、図２２に示すように、システム制御部１３は、推薦番組を決定するか否かの判定、推薦順位決定テーブルの生成、番組情報の読み出しの後（ステップＳｃ１〜Ｓｃ３）、Ａ／Ｖレコーダ部２１から、未再生の全録画番組の番組情報を取得し、推薦順位決定テーブルに設定する（ステップＳｃ１０）。
【０１７１】
次いで、録画番組のみを対象に番組名に基づく順位設定処理、ジャンルに基づく順位設定処理、及びチャンネルに基づく順位設定処理を実行した後（ステップＳｃ１１〜Ｓｃ１３）、放送中の番組のみを対象に番組名に基づく順位設定処理、ジャンルに基づく順位設定処理、及びチャンネルに基づく順位設定処理を実行する（ステップＳｃ４〜Ｓｃ６）。
【０１７２】
なお、録画番組のみを対象とする順位設定処理の処理内容は、放送中の番組のみを対象とする順位設定処理と同様である。
【０１７３】
このように、録画番組から優先して推薦順位が設定されるので、例えば、放送される番組を録画しておき、後日まとめて再生して視聴するというような傾向がある場合は、これを推薦順位に反映することができる。
【０１７４】
なお、本実施形態においては、Ａ／Ｖレコーダ部２１をテレビＳＳに内蔵しているが、これに限られるものではなく、独立した装置として構成してもよい。この場合は、例えば、ケーブルによりテレビＳＳとＡ／Ｖレコーダ部２１とを接続し、このケーブルを介してテレビＳＳはＡ／Ｖレコーダ部２１から映像信号、音声信号、及び番組情報を入力するようにしてもよい。
【０１７５】
また、本実施形態においても、第１実施形態において説明したように、嗜好情報に基づく順位設定処理を推薦番組決定処理に組み込んでもよいし、ユーザー毎に視聴履歴の記録及び推薦番組の表示を行ってもよい。
【０１７６】
以上説明したように、本実施形態に係るデジタルチューナー内蔵テレビＳＳによれば、第１実施形態に係るデジタルチューナー内蔵テレビＳの動作による効果に加えて、再生される録画番組の映像信号と放送される番組の映像信号とをメイン映像信号入力切替手段２３により切り替えて入力し、録画番組の再生の履歴を履歴情報として記録保存手段１２に記録し、録画番組を候補番組に含めて推薦番組を決定し、推薦番組の映像信号をメイン映像信号入力切替手段２３により入力させて、推薦番組の映像をディスプレイ７に表示させるので、録画番組も含めた複数の番組の中からユーザーが嗜好する番組の迅速、容易な視聴が可能となる。
【０１７７】
特に、近年においてはハードディスクドライブ等、大容量の記録媒体を有するＡ／Ｖレコーダ等に多数の番組を録画蓄積しておく傾向がある。このような場合に、本実施形態に係るデジタルチューナー内蔵テレビＳＳであれば、多数の録画番組からユーザーが嗜好する番組を適切に表示することが可能となるのである。
【０１７８】
また、未再生の録画番組のみを推薦番組の候補とするので、同じ番組を何度も視聴することがなくなり、ユーザーが嗜好する番組の、より迅速、容易な視聴が可能となる。
【０１７９】
なお、以上説明した各実施形態においては、本願に係る表示装置をデジタルチューナー内蔵テレビに適用しているが、これに限られるものではなく、例えば、ブロードバンドテレビやケーブルテレビに適用してもよいし、アナログチューナー内蔵テレビに適用してもよい。
【０１８０】
また、上記各実施形態においては、番組情報をチューナー部１により放送信号と共に受信しているが、これに限られるものではなく、例えば、インターネットに接続して、所定のサーバからダウンロードしてもよい。
【０１８１】
また、推薦番組決定処理において、各順位設定処理を実行する順序は、上記各実施形態において説明したものに限られるものではなく、他の順序で設定してもよいし、また、この順序をユーザーの選択により変更可能としてもよい。
【０１８２】
また、上記各実施形態においては、電源投入時に推薦番組を表示しているが、これに限られるものではなく、例えば、電源投入後、推薦番組を表示するリモコンボタンをユーザーが押すことにより推薦番組を表示させてもよい。これにより、今まで視聴していた番組が終了した後にユーザーが嗜好する番組をワンボタンで表示することが可能となる。
【０１８３】
また、上記各実施形態においては、推薦番組の決定を、決定対象である時間帯の前の時間帯に行っているが、これに限られるものではなく、更に前の時間帯に行っても良い。また、例えば、番組情報を取得した際に、取得した時間帯分について推薦順位決定テーブルを生成して、その時点における順位を予め設定しておき、その後、履歴情報記録の際に、履歴情報を記録される対象の番組の番組名、ジャンル等に基づいて、対応する時間帯の推薦順位決定テーブルに設定されている順位を更新するようにしてもよい。なお、電源起動時に推薦番組の決定を行ってもよいが、電源起動から推薦番組の決定までの時間を短縮するためには、事前に決定しておくことが望ましい。
【図面の簡単な説明】
【０１８４】
【図１】第１実施形態に係るデジタルチューナー内蔵テレビＳの概要構成の一例を示すブロック図である。
【図２】第１実施形態に係る番組情報レコードの内容の一例を示す図である。
【図３】第１実施形態に係るチャンネル別累積視聴時間テーブルの内容の一例を示す図である。
【図４】第１実施形態に係る推薦順位決定テーブルの内容の一例を示す図である。
【図５】全画面選択モードにより候補番組の選択を行う場合の画面遷移の一例を示す図である。
【図６】文字選択モードにより候補番組の選択を行う場合の画面遷移の一例を示す図である。
【図７】サムネイル選択モードにより候補番組の選択を行う場合の画面遷移の一例を示す図である。
【図８】文字＋サムネイル選択モードにより候補番組の選択を行う場合の画面遷移の一例を示す図である。
【図９】第１実施形態に係るシステム制御部１３が実行する処理の一例を示すフロチャートである。
【図１０】第１実施形態に係るシステム制御部１３が実行する番組情報取得処理の一例を示すフロチャートである。
【図１１】第１実施形態に係るシステム制御部１３が実行する推薦番組決定処理の一例を示すフロチャートである。
【図１２】第１実施形態に係るシステム制御部１３が実行する履歴情報記録処理の一例を示すフロチャートである。
【図１３】第１実施形態に係るシステム制御部１３が実行する順位設定処理（番組名）の一例を示すフロチャートである。
【図１４】第１実施形態に係るシステム制御部１３が実行する順位設定処理（ジャンル）の一例を示すフロチャートである。
【図１５】第１実施形態に係るシステム制御部１３が実行する順位設定処理（チャンネル）の一例を示すフロチャートである。
【図１６】第１実施形態に係るシステム制御部１３が実行する推薦番組選択処理の一例を示すフロチャートである。
【図１７】第１実施形態に係るシステム制御部１３が実行する推薦番組選択処理の一例を示すフロチャートである。
【図１８】第１実施形態に係るシステム制御部１３が実行する推薦順位決定処理の変形例を示すフロチャートである。
【図１９】第１実施形態に係るシステム制御部１３が実行する推薦順位決定処理の変形例における順位設定処理（嗜好情報）を示すフロチャートである。
【図２０】第２実施形態に係るデジタルチューナー内蔵テレビＳＳの概要構成の一例を示すブロック図である。
【図２１】第２実施形態に係るシステム制御部１３が実行する推薦順位決定処理の一例を示すフロチャートである。
【図２２】第２実施形態に係るシステム制御部１３が実行する推薦順位決定処理の変形例を示すフロチャートである。
【符号の説明】
【０１８５】
１    チューナー部
２    音声信号処理部
３    スピーカ
４    メイン映像信号処理部
５    サムネイル映像信号処理部
６    映像合成部
７    ディスプレイ
８    時計部
９    操作部
１０    ＲＯＭ
１１    ＲＡＭ
１２    記録保存部
１３    システム制御部
１４    入出力部
１５    バス
２１    Ａ／Ｖレコーダ部
２２    音声信号入力切替部
２３    メイン映像信号入力切替部
２４    サムネイル映像信号入力切替部
ＡＴ    アンテナ
Ｓ、ＳＳ    デジタルチューナー内蔵テレビ
【図１】
2006287855.tif 000003
【図２】
2006287855.tif 000004
【図３】
2006287855.tif 000005
【図４】
2006287855.tif 000006
【図５】
2006287855.tif 000007
【図６】
2006287855.tif 000008
【図７】
2006287855.tif 000009
【図８】
2006287855.tif 000010
【図９】
2006287855.tif 000011
【図１０】
2006287855.tif 000012
【図１１】
2006287855.tif 000013
【図１２】
2006287855.tif 000014
【図１３】
2006287855.tif 000015
【図１４】
2006287855.tif 000016
【図１５】
2006287855.tif 000017
【図１６】
2006287855.tif 000018
【図１７】
2006287855.tif 000019
【図１８】
2006287855.tif 000020
【図１９】
2006287855.tif 000021
【図２０】
2006287855.tif 000022
【図２１】
2006287855.tif 000023
【図２２】
2006287855.tif 000024